(57)【特許請求の範囲】
【請求項１】
ピーコンを囲む器具と、
この器具に片端を固定したハンドルと、
を有し、
前記器具により囲むピーコンは、
その一方側にセパレータのネックが入り得る内部空洞を形成した軸元を有すると共に、
その他方側に六角軸及び当該六角軸の先に軸真及びネジを形成した軸を有し、
前記六角軸がピーコン使用時における型枠パネル板にたいする接触面より外におり、
且つ、前記接触面から奥に浅い空洞を有する構造であり、
前記器具は、
前記六角軸を通すことができる幅の溝状のＵ字型の空間を有する蓋と、
前記軸元を通すことができる幅であって前記蓋のＵ字型の空間よりも幅が広い溝状の
Ｕ字型の空間を有する底と、
を備えたことを特徴とするハンドル。
【発明の詳細な説明】
【技術分野】
【０００１】
本発明は、型枠の一直線から傾斜型枠の組み立てと、パイプの締め付け固定に関する事と、型枠を解体した後に、コンクリートの表面に飛び出るピーコンとピーコンの軸を簡単に取り外す事の可能な型枠を組み立てる装置。
【背景技術】
【０００２】
従来の技術で、傾斜型枠の組み立てに関しては、傾斜型枠専用の自在ピーコンとピーコンの軸、テーパーピーコンとピーコンの軸の二種類が、型枠の現場で使用されてあるが、実質に組み立てに使用した材料名と型枠を組み立てたところの図面を、次に図面で説明する。
【０００３】
従来の技術の傾斜型枠専用の材料の図は、テーパーピーコン、図８と図９で一組、  自在ピーコン、図１０と図１１で一組の２セットが、傾斜型枠用、専用の品目の道具の材料である。
次は図１９で、テーパーピーコンとピーコンの軸を使用して型枠を組み立てたところであり、図面の上の符号で説明する。
【０００４】
型枠板４０に直交型ピーコン３５０にセパレータ７０を捻じ込んで固定し、固定したセパレータの片端に、テーパーピーコン２５０を捻じ込んで固定して、型枠板４０を図１９の様にして返し型枠の組み立てをして、図１９の型枠の角度は４５度であり、この時も型枠板に開ける穴は４５度の角度に開ける必要があり、返し型枠をした後も、型枠板の裏側にピーコンのキャンバー２５５で平にするために軸２６０に突き通して、２５８が平になったところに雄ネジ２７１にフォームタイ（登録商標、以下において、登録商標の表示を略す）８０を捻じ込んで固定したところで、型枠の組み立ての一段階が終了したことになる。
【０００５】
但し、上記のような型枠の組み立てをした場合は、図１９に詳細図に記載してある様に、型枠を締め付けて固定をするには、締め付けパイプ９０をフォームタイ８０の両側に挟んで座金８２で抑えて六角ナットで締め付けても、型枠板と締め付けパイプの間の空間１００を塞がなければ、締め付け固定にならないが、此の空間１００を塞いで固定する様にするには、可なりの材料と時間の費用が必要になり、図１０と図１１で一組の自在ピーコンとピーコンの軸も、テーパーピーコンと同じ役目の働きをするものである。
【０００６】
尚、テーパーピーコンは、角度に限定してあるから、角度毎に、角度と数量を、販売店に注文をしなければならない。
自在ピーコンは、角度はテーパーピーコンに比較すると、緩やかであるが、角度に合わせて注文する必要がない代わりに、自在ピーコンの構成が２枚とピーコンのキャンバの構成が２枚であり合計４枚で一組だから、型枠を解体して取り外した後に、自在ピーコンも取り外すのであるが、数が多いために、転用率が、僅かであり、殆ど一回限りである。
【０００７】
従来の技術のピーコン関係の構造を符号で説明すると、図８、図９に示すテーパーピーコン２５０本体に、ピーコンのこう配の接触面２５１と、ピーコンの元２５２、ピーコンの内部の空洞２５３が土台の分であり、テーパーピーコンのキャンバ２５５に、こう配の接触面２５６とフォームタイの軸皿受け２５８と穴２５７でキャンバの構成であり、テーパーピーコンの軸２６８は、軸真２６０と軸元２６３と雌ネジ２６４と雄ネジ２６５と六角軸２６６の構造である。
【０００８】
図１０、図１１の自在ピーコンは、ピーコンの土台１５０とピーコンの接触面１５１とピーコンの土台元１５２であり、自在ピーコンの移動盤部１３０は、回転移動盤の長穴１３２と回転移動盤の空洞１３３であり、自在ピーコンの軸１６８は、軸真１６０と軸元１６３と雌ネジ１６４と雄ネジ１６５と六角軸１６６の構成になり、自在ピーコンのキャンバ１２０は、穴１２１とキャンバの回転移動盤１２２と長穴１２３の構造である。
【０００９】
従来の技術の直交型ピーコン３５０は、接触面３５１とピーコンの元３５２とピーコンの内部の空洞３５３の構成になり、ピーコンの軸真３６０は、軸元３６３と軸の雌ネジ３６４と軸の雄ネジ３６５と六角軸３６６とピーコンの軸３６８の構成にして作られてある。
【００１０】
しかしながら、此れだけの道具の種類があっても、傾斜型枠の組み立てを、安定した型枠に組み立てる事が、不可能である。
【特許文献１】特許第３７０７６１４号公報
【特許文献２】特許第３９６５４１５号公報
【発明の開示】
【発明が解決しようとする課題】
【００１１】
本願発明は、器具つき角度曲げハンドルを使用して、直交型ピーコンの接触面とセパレータの端を、返し型枠の角度に傾けて折り曲げてから、返し型枠の組み立てをするために、安定した型枠を組み立てることが可能である。
【課題を解決するための手段】
【００１２】
直交型ピーコン５０の接触面５１に、強度を強くするために、図１４断面図の様に接触面５１の幅の肉厚を厚くして、空洞５３の深さを、接触面５１から奥に空洞５３を
５ｍｍ以内に浅くして、傾斜型枠の場合は、其の傾斜の角度に直交型ピーコン５０の接触面５１を傾けるだけで、セパレータが折り曲がり、型枠を組み立てても、横から受ける荷重に十分に耐えるだけの構造にしたものである。
【００１３】
図９、図１１、図１２に記載してある従来のピーコン３５０の軸３６８の六角軸３６６の幅は、スパナの幅で１２ｍｍのサイズであるが、本願発明の六角軸のサイズは（図１３）側面図（図１４）断面図（図１５）平面図に記載の軸６８を、直交型ピーコン５０の接触面５１より７ｍｍ外に出して、図１５の６６と６７に示してある様に、６６の部分をスパナの幅で１０ｍｍに限定して六角軸に固定し、其の先に軸真６０と雄ネジ６５を固定して、型枠の組み立てをすると、型枠板に開ける穴の規格サイズは、図１６の４１に示された様に、穴の半径１２ｍｍであるから、六角軸の角６７の直径は、６６の幅が、１０ｍｍの場合は、６７の直径は約１１・５ｍｍであるために此の幅に十分限定する必要があり、組み立てられた型枠内に、コンクリートを流し込んだ後、コンクリートに強度が出たら、型枠を解体した後に、コンクリートの表面にある直交型ピーコン５０とピーコンの軸６８を取り外すときに、コンクリートの表面から外に７ｍｍ六角軸が飛び出してあるから、１０ｍｍのスパナで容易に取り外す事が可能にする目的である。
【００１４】
図７の様に型枠の片壁が組み立てて、セパレータ７０の両方共に直行型ピーコンを捻じ込んで、片方を型枠４０に、固定したセパレータ７０の片端に直交型ピーコン５０の５１が、傾斜型枠の場合である時は、其の儘の状態で直交型ピーコン５０の接触面５１を、０度から９０度以内の角度を自由に傾けて折り曲げる事を可能にするために、ハンドル１１の片端を、器具１の２に固定して、図３断面図の様に、上に蓋２０を器具１に固定し、直交型ピーコン５０の六角軸６６を通すＵ字型の空間２１を蓋２０に固定して、下に底３０を器具一に固定し、軸元６３を通すＵ字型の空間３１を底３０に固定して、３法に囲んだ器具つき角度曲げハンドルの完成であり、此の器具つき角度曲げハンドルで、傾斜型枠と特殊型枠の場合で、図７に示してある様にセパレータ７０に捻じ込んである直交型ピーコン５０の接触面５１が角度でなくて垂直の場合は、図６断面図の様に、器具つき角度曲げハンドル１１の器具１で、直交型ピーコン５０と六角軸６６を囲んで、ハンドル操作１３、１４の様にして傾斜の角度に直交型ピーコン５０の接触面５１を傾けるだけで、その角度にセパレータ７０が、軸元６３の際から折り曲がり、返し型枠の組み立てをすると、図１８と同じ形の型枠が組み立てられて、締め付けて固定するパイプの９０も、従来の技術の図１９の様な問題点が無くて、同じく、４５度の角度の型枠であっても、安定した型枠の組み立てと、締め付けて固定することが可能な型枠である。
【００１５】
発明の直交型ピーコン５０とピーコンの軸６８を、セットして、器具付き角度曲げハンドル１１で、型枠の片壁を建てたままで、セパレータ７０に捻じ込んだ直交型ピーコン５０を、器具１で囲んで直交型ピーコンの接触面５１をハンドル１１で、其の角度に傾けるだけで、軸元６３の際から、セパレータ７０の軸が、ネジの無いところから折曲がるために、強度は、別の箇所から切れても、全く折り曲げたところで切断されることなく安定した型枠を組み立てることが可能である。
【００１６】
尚、直交型ピーコンについては、４５度以上に耐える様に工夫したものもあるから、本願発明については、一種類で、一直線から９０度の角度まで、自由に型枠を組み立てて、締め付けて固定に至るまでの事を通常の作業で行うための目的を可能にしたものである。
【発明の効果】
【００１７】
傾斜型枠関係に付いて、従来の技術で道具の種類を数多く使っても、安定した型枠を纏める事が出来なかった。
【００１８】
本願発明は、如何なる型枠の角度で合っても、図１３と図１４に記載してある発明の直交型ピーコン５０とピーコンの軸６８のセット一通りで、一直線から９０度の角度に至るまでの型枠に対応することを可能にしたものである。
【００１９】
発明の直交型ピーコンの軸６８の中央から軸真の間に六角軸を固定したことで、型枠を組み立てて、型枠の中にコンクリートを流し込んだ後に、コンクリートに強度がでたら、型枠の解体をすることになり、型枠をコンクリートの表面から取り外した時に、従来は、コンクリートの表面から外に、ピーコンの軸心と雄ネジだけが飛び出てあるために、六角軸がセメントのノロに埋まってなかなか取り外し難いことが、良くある。発明の直交型ピーコンの軸は、コンクリートの表面から外に、六角軸と軸心と雄ネジが、飛び出てあるために、１０ｍｍのスパナを六角軸に挟んで左に回すと直交型ピーコンとピーコンの軸を容易に抜き取ることが可能である。
【００２０】
図１８は、本願発明の型枠の組み立てと、型枠を締め付けて固定した図である。
図１９は、従来の技術の型枠の組み立てと、型枠を締め付けて固定をした図であるが、双方を図の上で比較しても明らかである事が判明することであり、図１９の従来の技術の型枠を締め付けて固定する方法については、全く技術として進歩が無いと言っても良いぐらいである。只、余り活躍に成らない製品を、数多く販売して稼いでいることにしか過ぎないことである。本当に現場で価値観のあるもでは、無いために、整理、整頓にも邪魔になる様な時もある。但し現在は、此れだけの価値のある道具の品物しか無いから、やむ得ないことである。
【００２１】
本願発明の直交型ピーコンは、角度が９０度以下で、４５度以上の場合は、直交型ピーコンだけが、二種類であり、４５度以下から一直線は、一通りであり、直交型ピーコンの軸は、双方共に一通りで活躍するから、現場内での整理、整頓についても、全く気にすることなく、使用するときに、材料の仕分けが、無いから非常に使い易いものである。
【発明を実施するための最良の形態】
【００２２】
型枠工事の建物の現場において、傾斜の付いた型枠であり、柱、壁、パラペットの片壁を組み立てて、セパレータの両端部に、発明の直交型ピーコンとピーコンの軸を捻じ込んで固定して、組み立てた型枠の表面に、セパレータの片端の雄ネジを突き通して、裏からフォームタイで固定して、型枠の表に飛び出してあるセパレータと直交型ピーコンを、返し型枠の角度に接触面を、角度曲げハンドルで傾けて、セパレータを軸元の際から折り曲げて、返し型枠の組み立てをして、パイプの締め付けと固定をしてから、コンクリートの打設も、普通の型枠と同じ速度で打設を始めた結果で、何処にも異常は、発見されずに打設を終了して、コンクリートに強度がでたら、型枠の解体をして、コンクリートの表面の出来上がりの程度が、従来の自在ピーコン、又は、テーパーピーコンを使用した時よりも、本発明の直交型ピーコンを使用して、角度に傾けて折り曲げてから使用した方が、コンクリートの表面の出来上がりが、綺麗に仕上がっていた。
【実施例】
【００２３】
器具付き角度曲げハンドルは、型枠の片壁を組み立てたままで、両端に直行型ピーコンを捻じ込んだままの状態であってもセパレータの片端を、型枠の片壁に固定したままの状態で、飛び出してあるセパレータと直行型ピーコンの接触面を、返し型枠の角度に、器具つき角度曲げハンドルで、容易に傾けてセパレータを折り曲げてから、返し型枠の組み立てをすることが可能である。
【００２４】
直交型ピーコンとセパレータの端を返し型枠の角度に傾けただけで、図１８の様に、型枠の組み立てと、型枠を締め付けて固定をすることと、型枠の解体に至るまでに、無駄が無くて有効価値が見なされて、図１９に記載の従来の技術の型枠仕保工の様に型枠の締め付けに難儀をして無駄な資材を使用する必要もない事と、余計な時間と材料を無駄にする必要もないことである。
【００２５】
発明の直交型ピーコン５０は、接触面５１の肉厚を厚くして、空洞５３を浅くした為に、接触面５１を角度に傾けても、横から受ける荷重に、十分に耐える様になり、従来の技術の傾斜型枠に対しては、角度が４５度以下であっても、ピーコンの種類が、幾種類かに、分かれて使用されてあるが、本願発明の直交型ピーコンは、角度が４５度以下であれば、直交型ピーコンの一種類で、一直線から４５度以内を十分に利用して持たせることが可能である。
【００２６】
尚、従来の技術の様に、例えば４５度ある角度の返し型枠を組み立てて、締め付けパイプ９０で、締め付けて固定をするとしたら、此のパイプ９０以外にも、色々と沢山の資材を必要として、完全に固定をするには、使用時間も普通の型枠を、締め付けて固定をする時間の４倍から５倍程度必要として、可なりの無駄な時間と、無駄な資材を使って、現在もこの様な仕事を型枠大工さんはして居る。
本発明の傾斜型枠の組み立てと、締め付けて固定をする事は、普通型枠と思っても、あまり問題にするほどの事ではない。
【産業上の利用可能性】
【００２７】
従来の技術に含まれてない様な型枠の組み立てと、型枠を締め付けて固定の方法も、本願発明の技術に含まれてあるから、優れた型枠工事関係の作業の可能性があり、十分に、発揮することが可能である。
【図面の簡単な説明】
【００２８】
【図１】本発明の器具付き角度曲げハンドルの下から見上げた図である。
【図２】本発明の器具付き角度曲げハンドルの上から見下げた図である。
【図３】発明の直交型ピーコンを収める器具の部分を正面から見たところの断面図である。
【図４】発明の直交型ピーコンを収める器具の部分を側面から見たところの断面図である。
【図５】発明の器具付き角度曲げハンドルの斜視図であり、一部ハンドルの部分の断面図である。
【図６】発明の直交型ピーコンを収める器具に、直交型ピーコンを収めてハンドルでセパレータを９０度の角度に折り曲げたところの実施例の断面図である。
【図７】型枠からセパレータまでに関係する連結材の固定図である。
【図８】従来の技術のテーパーコンのキャンバーの断面図である。
【図９】従来の技術のテーパーピーコンと軸の断面図である。
【図１０】従来の技術の自在ピーコンのキャンバーの断面図である。
【図１１】従来の技術の自在ピーコンと軸の断面図である。
【図１２】従来の技術の直交型ピーコンと軸の断面図である。
【図１３】本願発明の直交型ピーコンの側面図である。
【図１４】本願発明の直行型ピーコンと軸の断面図である。
【図１５】本願発明の直交ピーコンとピーコンの軸真を正面から見たところの平面図である。
【図１６】型枠板に実施例の規格の穴１２ｍｍの正面図である。
【図１７】セパレータの側面図である。
【図１８】本願発明の直交型ピーコンと、軸をセットで使用して、本願の施工方法で型枠の組み立てと、締めつけて固定をしたところの実施例の図である。
【図１９】従来の技術のテーパーピーコンと、軸をセットで使用して、従来の施工法方で、型枠の組み立てと、締め付けて固定方法の実施例の図である。
【符号の説明】
【００２９】
１    ピーコンを収める器具の枠
２    ピーコンを収める器具の枠で、ハンドルを溶接で接着する部分
１０  直交型ピーコンと軸通し開口
１１  ハンドルパイプ
１２  ハンドルパイプの空洞
１３  直交型ピーコンの接触面とセパレータの折り曲げ角度の操作上向き
１４  直交型ピーコンの接触面とセパレータの折り曲げ角度の操作下向き
２０  蓋
２１  六角軸を入れるＵ字型の空間
３０  底
３１  軸元を入れるＵ字型の空間
４０  型枠パネル板
４１  型枠板に、開ける規格穴のサイズの半径１２ｍｍ
５０  技術用語でピーコン
５１  直交型ピーコンの接触面
５２  直交型ピーコン元
５３  直交型ピーコンの内部の空間
６０  軸真
６１  軸元のテーパ
６２  軸元の内部の空洞
６３  軸元
６４  軸の雌ネジ山
６５  軸真の雄ネジ山
６６  六角軸
６７  六角軸の角
６８  ピーコンの軸
７０  技術用語でセパレータ
７１  セパレータ端部の雄ネジ
７２  セパレータネジのストッパ
７３  セパレータのネック
８０  技術用語でフォームタイ
８１  六角ナット
８２  座金
９０  パイプ
１００  空間
１２０  自在ピーコンのキャンバ元
１２１  自在ピーコンのキャンバ元の穴
１２２  自在ピーコンのキャンバの移動盤
１２３  自在ピーコンのキャンバの移動盤の長穴
１３０  自在ピーコンの回転移動器
１３２  自在ピーコンの回転移動器の長穴
１５０  自在ピーコンの土台
１５１  自在ピーコンの接触面
１５２  自在ピーコンの土台元
１６０  自在ピーコンの軸真
１６３  自在ピーコンの軸元
１６４  自在ピーコンの軸の雌ネジ
１６５  自在ピーコンの軸雄ネジ
１６６  自在ピコンの六角軸
１６８  自在ピーコンの軸
２５０  テーパ、ピーコン
２５１  テーパ、ピーコンの接触面
２５２  テーパ、ピーコンの元
２５３  テーパ、ピーコンの内部の空洞
２５５  テーパ、ピーコンのキャンバ、
２５６  テーパ、ピーコンのキャンバの接触面
２５７  テーパ、ピーコンのキャンバの穴
２５８  テーパ、ピーコンの元
２６０  テーパ、ピーコンの軸真
２６３  テーパ、ピーコンの軸元
２６４  テーパ、ピーコンの雌ネジ
２６５  テーパ、ピーコンの軸の雄ネジ
２６８  テーパ、ピーコンの軸
３５０  従来の技術の直交型ピーコン
３５１  ピーコンの接触面
３５２  ピーコンの元
３５３  ピーコンの内部の空洞
３６０  ピーコンの軸真
３６３  ピーコンの軸元
３６４  ピーコンの軸の雌ネジ
３６５  ピーコンの軸の雄ネジ
３６６  ピーコンの六角軸
３６８  ピーコンの軸
【要約】      （修正有）【課題】一般型枠から、傾斜型枠に至るまでの型枠の組み立てと締めつけて固定に至るまでの締結金具関係を、1種類にまとめて型枠の組み立てと、締め付けて固定することを可能にする装置を提供する。【解決手段】一般型枠から、傾斜型枠に至るまでの型枠に適用できる装置であり、装置を傾斜型枠と特殊型枠に対しては、ピーコンの接触面を、其の角度に傾けてセパレータから折り曲げて型枠の組み立てをして締めつけて固定が可能な一種類で十分に機能が発揮される器具付き角度曲げハンドルとピーコンとで構成した。【選択図】図１【図１】
0004325883.tif 000002
【図２】
0004325883.tif 000003
【図３】
0004325883.tif 000004
【図４】
0004325883.tif 000005
【図５】
0004325883.tif 000006
【図６】
0004325883.tif 000007
【図７】
0004325883.tif 000008
【図８】
0004325883.tif 000009
【図９】
0004325883.tif 000010
【図１０】
0004325883.tif 000011
【図１１】
0004325883.tif 000012
【図１２】
0004325883.tif 000013
【図１３】
0004325883.tif 000014
【図１４】
0004325883.tif 000015
【図１５】
0004325883.tif 000016
【図１６】
0004325883.tif 000017
【図１７】
0004325883.tif 000018
【図１８】
0004325883.tif 000019
【図１９】
0004325883.tif 000020